(57)【要約】【課題】  通信システムでアンテナを有する目標の位置を動的に追尾するシステム。【解決手段】  システムは、和及び差アンテナパターン（２０１−１、２０１−２）を生成するよう構成されたアンテナシステム（４１０）を有する。和ＲＦチャネル（４０１）は、アンテナシステムの和チャネル出力と結合される。差ＲＦチャネル（４０２）は、アンテナシステムの差チャネル出力と結合される。和ＲＦチャネルと結合された第１の入力及びＲＦ差チャネルと結合された第２の入力を有するＲＦカプラー（４２２−１）が提供される。１つ以上の結合制御装置（４１８−１、４１８−２）は、差チャネルと和チャネルの間のような効果的な結合値を選択的に変化するよう構成される。アンテナ追尾誤差信号は、カプラーの出力において生成される。【選択図】  図４
2007322423.tif 000002
【特許請求の範囲】
【請求項１】
通信システムでアンテナを有する目標の位置を動的に追尾する方法であって：
アンテナシステムにおいて受信した信号から和チャネル信号及び差チャネル信号を生成する段階；
結合値に従い前記差チャネル信号の一部を前記和チャネル信号と結合する段階；
前記結合値を選択的に変化する段階；及び
前記アンテナのボアサイト軸周囲で前記アンテナシステムのビームを走査し、アンテナ追尾誤差信号を生成する段階、を有する方法。
【請求項２】
前記選択的に変化する段階は、前記差チャネルの信号に適用される減衰の量を選択的に変化する段階、を有する、請求項１記載の方法。
【請求項３】
前記結合する段階の前に、低雑音増幅器を用い、前記和チャネル及び前記差チャネルのそれぞれで受信した信号に、所定量のＲＦ利得を適用する段階を更に有する、請求項１記載の方法。
【請求項４】
前記目標の位置が最初に決定される取得期間中の前記差チャネルから前記和チャネルへの結合の量を、前記取得期間後に生じる通信セッション中に適用される結合の量と比較して、選択的に増加する段階、を更に有する請求項１記載の方法。
【請求項５】
データが前記和チャネルで受信されている通信セッションの少なくとも一部の間、前記差チャネルを前記和チャネルから分離する段階、を更に有する請求項１記載の方法。
【請求項６】
前記結合値を動的に変化しビット誤りレートを最適化する段階、を更に有する請求項１記載の方法。
【請求項７】
通信システムでアンテナを有する目標の位置を動的に追尾するシステムであって：
和及び差アンテナパターンを生成するよう構成されたアンテナシステム；
前記アンテナシステムの和チャネル出力と結合された和ＲＦチャネル；
前記アンテナシステムの差チャネル出力と結合された差ＲＦチャネル；
前記和ＲＦチャネルと結合された第１の入力と前記ＲＦ差チャネルと結合された第２の入力とを有するＲＦカプラー；
前記和ＲＦチャネル及び前記差ＲＦチャネルの少なくとも１つにより定められた信号経路に配置され、及び前記差チャネルから前記和チャネルへの結合値を選択的に変化するよう構成された少なくとも１つの結合制御装置；及び
前記アンテナのボアサイト軸周囲で前記アンテナシステムのビームを走査するよう構成されたスキャナー、を有し、アンテナ追尾誤差信号は前記カプラーの出力において生成される、システム。
【請求項８】
前記結合制御装置は、可変ＲＦ減衰器を有する、請求項７記載のシステム。
【請求項９】
前記目標の位置が最初に決定される取得期間中の前記差チャネルから前記和チャネルへの結合の量を、前記取得期間後に生じる通信セッション中に適用される結合の量と比較して、選択的に増加するようプログラムされた追尾制御システム、を更に有する請求項７記載のシステム。
【請求項１０】
前記カプラーの入力にある前記差チャネルに配置されたＲＦスイッチを更に有し、前記ＲＦスイッチは、追尾制御システムに応じ、通信セッションの少なくとも一部の間、前記差チャネルを前記和チャネルから分離する、請求項７記載のシステム。
【発明の詳細な説明】
【技術分野】
【０００１】
本発明は、疑似モノパルス追尾システムに関し、より詳細には、追尾性能の向上及びビット誤りレートの最適化を助ける追尾システムに関する。
【背景技術】
【０００２】
多くの種類のＲＦ通信システムは、指向性アンテナを利用する。指向性アンテナは、多くの利点を提供するが、一般に、最大通信効率を達成するために遠隔無線通信機局へ向けられなければならない。例えば、指向性アンテナを遠隔無線通信機局へ向けることは、通信システムに、無線接続の最良の可能な信号対雑音値を達成させ、及びビット誤りレートのような種々の他の通信パラメーターの最適化を可能にする。遠隔無線通信機局が衛星のような移動目標である場合、指向性アンテナが正しい方向に向けられることを連続的に保証するための方法が提供されなければならない。
【０００３】
前述の問題を解決するため、多くのシステムは、疑似モノパルス追尾として知られているものを用いる。疑似モノパルス追尾システムは、受信機アンテナの重複パターン又はローブを通じて受信した信号を比較することにより信号源の追尾が達成されるシステムである。比較は、アンテナの指向方向と信号源の実際の方向との間の相違の決定を助ける。如何なる相違も、アンテナの指向方向を補正するために用いられる指向誤差信号へ変換される。疑似モノパルス追尾は、標準的に、アンテナシステム給電とＲＦ受信チェーンで用いられる第１の低雑音増幅器との間に挿入された追尾カプラーを用いて実施される。結合値は、従来、システム設計の一部として定められ、一般に妥協値である。特に、結合値は、指向誤差信号を最大化すると同時に可能な限り低いビット誤りレート（ＢＥＲ）を達成するよう選択されなければならない。
【０００４】
一般にＢＥＲは、信号対雑音比の関数であり、追尾カプラーのために選択された結合値に部分的に依存する。差チャネルから和チャネルへ結合された信号は、和チャネルの雑音レベルを増加させ、それによりシステム性能を低下させる。結合レベルを減少することは、和チャネルの雑音量を減少し、結果として信号対雑音値を向上し、及びＢＥＲ性能を向上する。反対に、追尾性能は、追尾誤差信号の変調スロープの関数であり、結合値にも依存する。結合レベルの増大は、追尾性能を向上する。従って、従来のシステムは、一般に、これら２つの矛盾する性能目標に基づくトレードオフである結合値に甘んじなければならない。
【０００５】
当業者は、第１の低雑音増幅器の前の受信信号経路に位置する如何なる損失の多い構成要素の存在も、受信機性能を低下し得ることを理解するだろう。この段に導入された如何なる損失も、受信機感度及び雑音指数を低下し得ることが良く知られている。依然として、和及び差チャネルの間の相対振幅及び位相に対し正確な制御を維持する疑似モノパルス追尾システムが必要とされる。従って、このような配置は受信機性能を低下するが、従来のシステムは、標準的に追尾カプラーを、第１の低雑音増幅器段の前、受信機のフロントエンドに置いていた。
【発明の開示】
【発明が解決しようとする課題】
【０００６】
本発明は、通信システムでアンテナを有する送受信機の位置を動的に追尾するシステムに関する。システムは、和及び差アンテナパターンを生成するよう構成されたアンテナシステムを有する。和ＲＦ信号は、アンテナシステムの和チャネル出力と結合される。差ＲＦ信号は、アンテナシステムの差チャネル出力と結合される。和ＲＦチャネルの位相伝達特性は、差チャネルの位相伝達特性と有利に一致する。
【課題を解決するための手段】
【０００７】
和ＲＦチャネルと結合された第１の入力及びＲＦ差チャネルと結合された第２の入力を有するＲＦカプラーが設けられる。１つ以上の結合制御装置も設けられる。本発明のある態様によると、結合制御装置は、差ＲＦチャネルに配置される。しかしながら、結合制御装置はまた、和ＲＦチャネルにも設けられる。１つ以上の結合制御装置は、差チャネルと和チャネルの間の結合値を選択的に変化するよう構成される。スキャナー装置も設けられる。スキャナー装置は、アンテナシステムのビームをアンテナのボアサイト軸周囲で走査するよう構成される。結果として、アンテナ追尾誤差信号は、カプラーの出力において生成される。
【０００８】
本発明のある態様によると、結合制御装置は、可変ＲＦ減衰器を有する。例えば、減衰器は、差ＲＦチャネルにより定められる信号処理チェーンに設けられ得る。減衰器の出力は、ＲＦカプラーの入力と結合される。このような減衰器が信号対雑音値に負の効果を与えないことを保証するため、低雑音増幅器は、和チャネル及び差チャネルのそれぞれにおいて受信機のフロントエンドに設けられ得る。より詳細には、和チャネル低雑音増幅器は、アンテナシステムの和チャネル出力と結合される。及び差チャネル低雑音増幅器は、アンテナシステムの差チャネル出力と結合される。
【０００９】
システムはまた、結合制御装置と機能するよう接続された追尾制御システムを有する。追尾制御システムは、結合値を自動的に動的に変化しビット誤りレートを最適化するようプログラムされ得る。例えば、追尾制御システムは、目標取得期間中に差チャネルから和チャネル信号への結合量を選択的に増加するようプログラムされ得る。当該取得期間は、アンテナが目標の方向に正確に向けられているかどうかが分からない時間期間を参照する。その後、目標が取得された後に生じる通信セッション中、結合は減少され、差チャネルから和チャネルへ導入される雑音量を減少する。これは、目標無線通信機が最初に位置付けられた後、通信セッションの一部の間に生じ得る。
【００１０】
有利なことに、ＲＦスイッチは、差チャネル内に、ＲＦカプラーへの入力に配置され得る。ＲＦスイッチは、追尾制御システムに応じ、通信セッションの少なくとも一部の間、差チャネルを和チャネルから分離する。例えば、ＲＦスイッチは、データ通信が既に確立された後に生じる期間の間、差ＲＦチャネルを和ＲＦチャネルから分離するため配置されて良い。通常、これは、アンテナが目標無線通信機を正確に指向しているかどうかがわからない取得期間の後に生じる。
【００１１】
本発明はまた、通信システムでアンテナを有する目標の位置を動的に追尾する方法を有する。方法は、和チャネル信号及び差チャネル信号を、アンテナシステムにおいて受信した信号から生成する段階を有する。和ＲＦチャネル及び差ＲＦチャネルの位相伝達特性は、互いに有利に一致する。差チャネル信号の一部は、結合値に従い和チャネル信号と結合される。アンテナシステムのビームは、アンテナのボアサイト軸周囲で走査され、アンテナ追尾誤差信号を生成する。結合値は、自動的に動的に長期にわたり変化され、システム性能を向上し得る。例えば、結合値は、自動的に動的に変化され、システムのビット誤りレートを最適化し、及び／又は目標取得性能を向上し得る。本発明のある態様によると、結合値は、追尾制御システムからの制御信号に応じ、動的に自動的に変化される。
【００１２】
本発明の別の態様によると、結合値は、差チャネルの信号に適用される減衰量を選択的に変化することにより変化され得る。減衰は、差チャネルを和チャネルと結合する前に、差チャネルに有利に挿入される。信号対雑音比の如何なる不要な増加も最小化するため、低雑音増幅器は、結合する段階の前に、和及び差チャネルのそれぞれに含まれ得る。方法は、取得期間中に差チャネルから和チャネル信号への結合量を選択的に増加する段階を更に有する。目標の位置が最初に決定されるこの期間中、より高い結合レベルは、取得性能の向上を提供し得る。比較により、より低い結合値は、取得期間の後に生じる通信セッション中に用いられ得る。当該より低い結合は、これらの期間中の信号対雑音比を向上し得る。
【００１３】
本発明の別の態様によると、差チャネルは、通信セッションの少なくとも一部の間、和チャネルから完全に分離され得る。例えば、この分離は、データが和チャネルで受信され、及びシステムが目標追尾機能を実行していない場合、生じ得る。分離する段階は、差チャネルをカプラーへ送るために用いられるＲＦスイッチを制御する段階を有する。
【００１４】
実施例は、以下の図面を参照して記載される。図中の類似の番号は、全ての図を通じて類似の項目を表す。
【発明を実施するための最良の形態】
【００１５】
図１は、従来の疑似モノパルスアンテナ追尾（ＰＭＡＴ）システムを示すブロック図である。ＰＭＡＴシステム１００は、給電１０２とコンバイナー１０４とを有する従来のアンテナシステム１０１を有する。当業者は、給電１０２及びコンバイナー１０４が連携して動作し図２に示される和及び差アンテナチャネルを生成するよう選択され得ることを直ちに理解するだろう。和及び差アンテナチャネルは、通常、実質的に図２に示されるある種類の良く知られたアンテナパターンと関連付けられる。給電１０２及びコンバイナー１０４の種々の組み合わせは、本願明細書に記載される和及び差アンテナパターンを生成する目的で、従来知られている。給電１０２の正確な性質は、アンテナ（示されない）の種類に依存する。コンバイナー１０４は、標準的に、ＲＦ分割及び結合機能に用いられる１つ以上の従来のハイブリッド接合を有する。当業者は、特定の例で用いられる特定種類のコンバイナー１０４が、選択されたアンテナの種類及び用いられる給電を有する種々の因子に依存することを理解するだろう。更に、アンテナシステム１０１は、方位平面の差アンテナパターン及びアンテナの仰角平面に配置された第２の差パターンを表す差チャネルを生成し得ることが理解されるだろう。
【００１６】
再び図１を参照すると、和チャネル及び差チャネルはそれぞれカプラー１１０と通信されることが分かる。ここで差チャネルの受信信号の一部は、和チャネルの受信信号と結合され得る。カプラーの値は、固定される。結合の実際の量は、システム設計者により選択され、及び多くの因子に依存する。これらの種類のシステムの標準的な結合値は、６ｄＢ乃至１６ｄＢの範囲であり得る。特定の選択されたカプラーに拘わらず、この方法における和及び差チャネルビームの結合は、結果として、ボアサイトから僅かに移動したある角度における和チャネルビームのスクイントを生じる。言い換えると、和チャネル信号がカプラー１１０の出力において測定される場合、和チャネルのピーク利得は、差チャネルが和チャネルと結合される時、ボアサイトからの僅かなオフセットを示す。角度の移動の範囲は、結合の量に依存する。
【００１７】
スキャナー１０８は、ボアサイトに対するスクイント方向を制御するために用いられる。標準的に、スキャナー１０８は、可変移相装置を有する。例えば、スキャナー１０８は、０度位相シフト及び１８０度位相シフトとして定められる２つの位置の間の位相を急激に変化するよう選択的に制御され得る。スキャナーをこれら２つの位置の間で切り替えることは、結果として、図３に示される２つの和チャネルアンテナパターン２０１−１、２０１−２をカプラー１１０の出力において生じる。
【００１８】
図３を参照すると、ある角度θで到着する信号は、パワーレベルＰＲにおいてビーム２０１−１で受信されることが分かる。対照的に、同一信号は、パワーレベルＰＬにおいてビーム２０１−２で受信される。図３で分かることは、受信パワーの相対差又は２つのパワーレベルＰＲ及びＰＬの間の比が、一意的に角度θを定める誤り信号を生成するために用いられ得ることである。例えば、追尾誤差信号は、次式のように定められ得る。
【００１９】
【数１】
2007322423.tif 000003
ここでバーＰＲ及びバーＰＬは、それぞれＰＲ及びＰＬの推定値である。ＰＲ及びＰＬの値は、送信経路の如何なる変動の効果も最小化するために、信号パルスの発生中に測定され得る。カプラー１１０の出力は、信号利得を提供するため、低雑音増幅器１１２へ供給され得る。その後、信号は、追尾誤差が計算され得る追尾制御システムへ結合され得る。その後、追尾誤差信号は、θの値を決定するため、ルックアップテーブルで用いられる。この誤差角は、決定されると、アンテナの位置を変更し角度θを補償するために用いられ得る。これにより、アンテナボアサイトが直接目標に向けられることが保証される。
【００２０】
これまで、図１の従来の疑似モノパルス追尾システムが信号差チャネルに関し記載されてきた。信号差チャネルは、単一平面内で目標を追尾するには十分であり得る。実際には、しかしながら、方位角及び仰角平面に配置されたコンバイナー１０４からの差チャネル出力を提供することが一般的である。図１に示されるように、ＲＦスイッチ１０６は、これら２つの差チャネル信号のどちらがスキャナー１０８と通信するかを選択的に決定するために用いられ得る。２つの差チャネルは、アンテナの方位角及び仰角の追尾誤差信号を生成するために、本願明細書に前述の方法で用いられ得る。
【００２１】
図４を参照すると、差チャネルからの信号の和チャネルへの相対結合が選択的に制御され得る疑似モノパルス追尾システムが設けられる。以後、開示されるように、可変結合は、ＢＥＲ性能を低下することなくアンテナ追尾性能を最適化するために用いられ得る。理解されるべき点は、如何なる適切な配置も、このような可変結合を実施するために用いられ得ること、図４は、このようなシステムの単に１つの可能な実施であることである。
【００２２】
図４では、従来のアンテナシステム４１０が設けられ、アンテナシステム４１０は、上述の給電４１１及びコンバイナー４１２を有する。アンテナシステム４１０は、図２に関連して議論されたものと同様の和チャネル出力及び差チャネル出力を生成し得る。これらアンテナシステム出力は、和ＲＦチャネル４０１及び差ＲＦチャネル４０２と結合され得る。図１と関連して記載された従来の追尾システムと対照的に、低雑音増幅器（ＬＮＡ）４１４−１、４１４−２の対は、アンテナシステム４１０の和及び差出力に設けられ得る。低雑音増幅器４１４−２は、移相器４１６−２と結合される。移相器４１６−２は、図１乃至図３と関連して前述されたものと同様の技術を用い、アンテナビームのスキャナーとして機能し得る。従って、ある実施例では、移相器４１６−２は、位相シフト０度と１８０度との間を切り替えられ得る。必ずしも必要ではないが、移相器４１６−１も設けられ得る。当業者は、スキャナー機能も移相器４１６−１を用い実施され、和チャネル信号を差チャネルに対し１８０度位相をシフトさせ得ることを理解するだろう。代案として、移相器４１６−１は、和及び差チャネル４０１、４０２の間のような位相追尾一致のために単に用いられ得る。
【００２３】
図４では、カプラー４２２−１は、差チャネル４０２で受信した信号の一部を、和チャネル４０１で受信した信号と結合するために用いられる。図４に示された本発明の実施例では、カプラー４２２−１は、固定結合値を有する。例えば、結合値は、約６ｄＢ乃至約２０ｄＢの範囲で制限無く選択され得る。有利なことに、可変減衰器４１８−２は、カプラーの入力で受信した信号のパワーレベルを選択的に変化するために設けられる。この減衰器内の変化は、差チャネル４０２から和チャネル４０１へ結合される信号の実際の量を変化するために効果的に用いられ得る。より大きい減衰は、差チャネル４０２から和チャネル４０１への明らかな結合の量を減少する。反対に、より小さい減衰は、結合の実効量の増加を示す。従って、可変減衰器４１８−２は、結合制御装置として機能し得る。
【００２４】
可変減衰器４１８−１は必要ない。しかしながら、可変減衰器４１８−１は、和及び差チャネル４０１、４０２の間のような位相追尾一致を維持するために任意的に設けられ得る。別の実施例によると、可変減衰器４１８−１は、可変減衰器４１８−２と同様の方法で用いられ、和から差チャネルへの結合の見掛けの量を変化し得る。可変減衰器４１８−１の減衰の増加は、和チャネル４０１で受信した信号と比較して、差チャネル４０２から結合した信号のパワーレベルにおける明らかな又は相対的な増加を生成する。注目すべきことに、当該減衰は、信号が低雑音増幅器４１４−１、４１４−２で既に増幅された後に導入されるので、追加の減衰は、受信機性能に有意な影響を与えない。勿論、本発明は図４に示された詳細な配置に限定されないことが理解されるだろう。如何なる他の配置も、差チャネルから和チャネルへの相対結合が選択的に変化され得るならば、前述の結果を達成するために用いられ得る。このような全ての配置は、本発明の範囲に包含される。
【００２５】
再び図４を参照すると、スイッチ４２０が設けられ得ることが分かる。スイッチ４２０は、差チャネルを和チャネルから完全に分離するために用いられ得る。例えば、システムがデータを受信しているがアンテナ追尾測定の実行を試みていない期間中に、差チャネルを和チャネルから分離することが望ましい。当該方法で差チャネルを和チャネルから完全に分離することは、和チャネルの信号対雑音比を向上し、またビット誤りレート（ＢＥＲ）を向上し得る。
【００２６】
明らかなことに、図４に関連して記載された配置は、アンテナシステムコンバイナーの直後に続く低雑音増幅器４１４−１、４１４−２の配置により実施される。受動素子の前のいくらかの利得の提供は、事実上、受信機性能を犠牲にすることなく、移相器４１６−１、４１６−２及び可変減衰器４１８−１、４１８−２のような受動素子内で許容され得ることを意味する。これは、構成要素の選択の柔軟性をより大きくする。例えば、図１に示されたシステムを実施する場合に一般に必要とされるような高価なフェライト移相器を用いるより、安価な種類の移相器が用いられ得る。例えば、ＰＩＮダイオード型移相器の高損失は受信機性能を低下することなく許容され得るので、このような装置は、図４に示された実施例で用いられ得る。別の利点は、高速な移相器が用いられ得ることである。高速のフェライト移相器は、実施が困難であり及び非常に高価であり得る。ＰＩＮダイオード型移相器は、より素早く位相シフトを変化し、及びより安価であり得る。
【００２７】
低雑音増幅器４１４−１、４１４−２に続く位置にカプラーを移動することは、可変減衰器が、受信機性能を低下することなく、可変結合機能を実施するＲＦ処理チェーンで使用可能であるという更なる利点を有する。従って、可変結合効果は、簡易且つコスト効率の良い方法で達成され得る。
【００２８】
再び図４を参照すると、追尾制御システム（ＴＣＳ）４２６は、疑似モノパルス追尾機能を制御するために用いられ得る。ＴＣＳは、如何なる適切な方法で実施され得る。例えば、制御部又は専用のマイクロプロセッサーは、この目的のために用いられ得る。代案として、ＴＣＳは、疑似モノパルス追尾システム４００が実施される受信機のために設けられたマイクロプロセッサーのプログラミングの一部として実施され得る。本発明はこの点に限定されない。また如何なる適切な配置も用いられ得る。
【００２９】
当業者は、ＢＥＲが信号対雑音値の関数であり、追尾カプラーのために選択された結合値に部分的に依存することを理解するだろう。差チャネルから和チャネルへ結合された信号は、和チャネルの雑音レベルを増加させ、それによりシステム性能を低下させる。結合レベルを減少することは、和チャネルの雑音量を減少し、結果として信号対雑音値を向上し、及びＢＥＲ性能を向上する。逆に言えば、追尾性能は、追尾誤差信号の変調スロープの関数であり、カプラー値にも依存する。変調スロープが大きいほど、大きい誤差信号を提供する。従って、結合レベルの増加は、誤差の度合い毎により大きい誤差信号の変化を生成することにより、追尾性能を向上する。従来のシステムは、一般に、これら２つの矛盾する性能目標に基づくトレードオフであるカプラー値に甘んじなければならない。
【００３０】
対照的に、ＴＣＳ４２６は、追尾及びＢＥＲ性能を最適化するために移相器４１６−１、４１６−２、可変減衰器４１８−１、４１８−２、及びスイッチ４２０の動作を制御し得る。例えば、目標が最初に取得される時、ＴＣＳ４２６は、可変減衰器４１８−２が差チャネルに最小量の減衰を適用するよう、可変減衰器４１８−２を有利に制御し得る。これは、差チャネル４０２から和チャネル４０１への結合の見掛けの量を増加し、それにより変調スロープ及び追尾性能を向上し得る。特に、更なる結合は、追尾誤差信号の変調スロープを増加し、それにより追尾性能を向上する。
【００３１】
反対に、目標が取得され且つアンテナボアサイトが実質的に目標の方向に配置された後、差チャネルから和チャネルへの結合の見掛けの量は、減少され得る。これは、追尾誤差信号の変調スロープを減少するので、追尾性能をいくらか低下する。しかしながら、これは、より少ない雑音が差チャネルから和チャネルに結合されるので、和チャネルの信号対雑音比を向上する。信号対雑音比が高いほど、結果として高いＢＥＲを生じ得る。ＴＣＳは、結合比を変化し、アンテナ追尾及び変化する条件におけるＢＥＲに対し最適性能を達成し得る。更に、ＲＦスイッチ４２０は、ＴＣＳ４２６により制御され、目標追尾が実行されていないがデータが受信されている期間中、差チャネル４０２を和チャネル４０１から完全に分離し得る。これは、信号対雑音比を更に向上し及びＢＥＲを向上し得る。
【００３２】
図５を参照すると、図４の疑似モノパルスアンテナ追尾システムの代案の実施例のブロック図が示される。図５の実施例は、図４に示されたシステムと多くの共通要素を共有する。しかしながら、単一の和チャネル４０１を設ける代わりに、図５の実施例は、第２の和チャネルを有する。図５では、和チャネル４０３は、和チャネル４０１と比較して異なる偏向を有する和アンテナパターンを提供する。例えば、和チャネル４０１は、左回転偏光信号の給電出力と関連付けられ得る。また和チャネル４０３は、右回転偏光信号の給電出力と関連付けられ得る。移相器４１６−３は任意的であるが、移相器４１６−１と関連して前述された機能と同様の機能を実行するために用いられ得る。同様に、可変減衰器４１８−３は任意的であるが、可変減衰器４１８−１と同様の機能を実行するために用いられ得る。和チャネル４０１と同様に、和チャネル４０３はまた、カプラー４２２−３を有する。各チャネルは、それぞれ第２の低雑音増幅器４２４−１、４２４−３を有し得る。
【００３３】
図５のシステムは、図４と関連して記載されたシステムと実質的に同一の方法で動作する。しかしながら、図５では、疑似モノパルス追尾システム５００は、スイッチ４２０を用い、差チャネルを和チャネル４０１又は和チャネル４０３へ送り得る。従って、図５の追尾システムは、右及び左回転偏向を有する信号の目標追尾を実行し得る。
【００３４】
本願明細書で開示され請求される全てのシステム、方法及びアルゴリズムは、本開示を考慮し必要以上の実験をすることなく、行われ及び実行され得る。本発明は好適な実施例の観点から記載されたが、当業者は、本発明の概念、精神及び範囲から逸脱することなく、本システム、方法及び方法の段階のシーケンスに変化が適用されて良いことを理解すべきである。より詳細には、同一の又は同様の結果が達せされ得る場合、ある種の構成要素が本願明細書に記載された構成要素に追加され、結合され、又は置き換えられて良いことが明らかである。当業者に明らかなこのような同様の置き換え及び偏向の全ては、定められた本発明の精神、範囲及び概念の範囲内にあると考えられる。
【図面の簡単な説明】
【００３５】
【図１】従来技術の疑似モノパルスアンテナ追尾システムのブロック図である。
【図２】図１の給電及びコンバイナーにより生成され得る和及び差アンテナパターンを示す曲線である。
【図３】ボアサイトの左及び右から見た和ビームを示す曲線である。
【図４】本発明を理解するために有用な疑似モノパルスアンテナ追尾システムを示すブロック図である。
【図５】図４の疑似モノパルスアンテナ追尾システムの代案の実施例のブロック図である。
【符号の説明】
【００３６】
１００、４００、５００  疑似モノパルスアンテナ追尾（ＰＭＡＴ）システム
１０１、４１０  アンテナシステム
１０２、４１１  給電
１０４、４１２  コンバイナー
１０６、４２０  スイッチ
１０８  スキャナー
１１０、４２２−１、４２２−３  カプラー
１１２、４１４−１〜４１４−３、４２４−１、４２４−３  低雑音増幅器（ＬＮＡ）
４１６−１〜４１６−３  移相器
４１８−１〜４１８−３  可変減衰器
４２０  スイッチ
４２６  追尾制御システム（ＴＣＳ）
【図１】
2007322423.tif 000004
【図２】
2007322423.tif 000005
【図３】
2007322423.tif 000006
【図４】
2007322423.tif 000007
【図５】
2007322423.tif 000008